(57)【要約】【課題】  補助脚の使用および収納作業を容易に行うことができるとともに、補助脚の使用位置において背凭れが確実に支持される椅子を提供すること。【解決手段】  背凭れ４が起立状態と倒伏状態との間で移動自在に設けられるとともに、背凭れ４の背面上部に、該背凭れ４を前記倒伏状態としたときの脚となる補助脚９が、前記背凭れ４の背面と略直角をなす使用位置と、前記背凭れ４の背面に沿う収納位置と、の間で回動自在に設けられた椅子１において、背凭れ４の内部に少なくとも一部を挿通させた状態で取り付けられたチューブ状のカバー２７ａと、カバー２７ａ内に摺動自在に挿通されるとともに、補助脚９の上端部に一端が取り付けられ、背凭れ４の移動に応じて可動する可動部２９に他端が取り付けられたワイヤー２７ｂと、からなるカバー付きワイヤー２７により、補助脚９を背凭れ４に連動させて前記使用位置と前記収納位置との間で移動自在とした。【選択図】  図６
2006042929.tif 000002
【特許請求の範囲】
【請求項１】
背凭れが略上下方向を向く起立状態と略水平方向を向く倒伏状態との間で移動自在に設けられるとともに、前記背凭れの背面上部に、該背凭れを前記倒伏状態としたときの脚となる補助脚が、前記背凭れの背面と略直角をなす使用位置と、前記背凭れの背面に沿う収納位置と、の間で回動自在に設けられた椅子において、
前記補助脚を前記背凭れに連動させて前記使用位置と前記収納位置との間で移動自在とする連動手段を備え、
前記連動手段は、前記背凭れの内部に少なくとも一部を挿通させた状態で取り付けられたチューブ状のカバーと、前記カバー内に摺動自在に挿通されるとともに、前記補助脚の上端部に一端が取り付けられ、前記背凭れの移動に応じて可動する可動部に他端が取り付けられたワイヤーと、からなるカバー付きワイヤー部材にて構成されていることを特徴とする椅子。
【請求項２】
前記背凭れを前記倒伏状態から前記起立状態への移動方向に向けて付勢するガススプリングを備え、
前記可動部は、前記背凭れに連動して前記ガススプリングを伸縮させるように前記背凭れと前記ガススプリングとを連係する連係部材に設けられている請求項１に記載の椅子。
【請求項３】
前記補助脚における前記上端部に、前記収納位置において該補助脚の下端部を前記背凭れの背面側に向けて付勢するためのウエイト部材が設けられている請求項１または２に記載の椅子。
【請求項４】
前記補助脚の上部には、前記使用位置において前記背凭れの上部に形成された前側に向けて湾曲する湾曲状部の背面に当接する当接面が設けられている請求項１〜３のいずれかに記載の椅子。
【請求項５】
座の前端部に、該座に対して屈曲自在なフットレストが取り付けられている請求項１〜４のいずれかに記載の椅子。
【発明の詳細な説明】
【技術分野】
【０００１】
本発明は、背凭れを起立状態と倒伏状態とに移動自在な椅子係わり、特には倒伏状態において背凭れの後端部を支持する補助脚を備える椅子に関する。
【背景技術】
【０００２】
従来、この種の椅子としては、背凭れの背面上部に、背凭れを倒伏状態としたときの脚となる補助脚が、背凭れの背面とほぼ直角をなす使用位置と、背面に沿う収納位置とに回動自在に装着されるとともに、背凭れの背面に、補助脚を使用位置と収納位置とにおいて係止しうる係止手段としてのストッパが設けられたもの等がある（例えば、特許文献１参照）。
【０００３】
【特許文献１】特開２００２−２８２０７７号公報（第３頁、第１図、第４図）
【発明の開示】
【発明が解決しようとする課題】
【０００４】
しかしながら、上記特許文献１に記載の椅子にあっては、背凭れを起立状態から倒伏状態とする際あるいは倒伏状態から起立状態とする際において、作業者は係止手段としてのストッパを一旦取り外した後に係止させる必要があったため、背凭れの状態の切替作業に手間がかかるばかりか、特に補助脚を使用位置としたときにストッパによる係止を忘れると、倒伏状態にある背凭れに荷重が加わった際に補助脚による支持が解除されて椅子が転倒することがあるといった問題があった。
【０００５】
本発明は、このような問題点に着目してなされたもので、補助脚の使用および収納作業を容易に行うことができるとともに、補助脚の使用位置において背凭れが確実に支持される椅子を提供することを目的とする。
【課題を解決するための手段】
【０００６】
上記課題を解決するために、本発明の請求項１に記載の椅子は、背凭れが略上下方向を向く起立状態と略水平方向を向く倒伏状態との間で移動自在に設けられるとともに、前記背凭れの背面上部に、該背凭れを前記倒伏状態としたときの脚となる補助脚が、前記背凭れの背面と略直角をなす使用位置と、前記背凭れの背面に沿う収納位置と、の間で回動自在に設けられた椅子において、
前記補助脚を前記背凭れに連動させて前記使用位置と前記収納位置との間で移動自在とする連動手段を備え、
前記連動手段は、前記背凭れの内部に少なくとも一部を挿通させた状態で取り付けられたチューブ状のカバーと、前記カバー内に摺動自在に挿通されるとともに、前記補助脚の上端部に一端が取り付けられ、前記背凭れの移動に応じて可動する可動部に他端が取り付けられたワイヤーと、からなるカバー付きワイヤー部材にて構成されていることを特徴としている。
この特徴によれば、背凭れを起立状態から倒伏状態まで移動することにより可動部が可動すると、補助脚の上端部がワイヤーにより背凭れの背面に向けて引っ張られて使用位置まで回動するとともに、倒伏状態から起立状態まで移動することにより可動部が可動すると、該ワイヤーによる引っ張り力が解除されて収納位置まで回動するため、背凭れを移動するだけで補助脚を容易に収納位置または使用位置に切り換えることができる。また、背凭れが倒伏状態にある限り補助脚はワイヤーの張力により使用位置に確実に保持されるため、不用意に折れ曲がることが防止されるばかりか、カバー付きワイヤー部材が背凭れの内部に挿通して設けられることで、連動手段が外部に露出して外観体裁が損なわれるのを防止することができる。
【０００７】
本発明の請求項２に記載の椅子は、請求項１に記載の椅子であって、前記背凭れを前記倒伏状態から前記起立状態への移動方向に向けて付勢するガススプリングを備え、
前記可動部は、前記背凭れに連動して前記ガススプリングを伸縮させるように前記背凭れと前記ガススプリングとを連係する連係部材に設けられていることを特徴としている。
この特徴によれば、ガススプリングの付勢力により、背凭れの後傾時においては後方への急激な転倒が防止され、背凭れの起立時には背凭れを容易に起立させることができるので、背凭れの移動操作性が向上するばかりか、背凭れに連動してガススプリングが伸縮するとともに補助脚が移動するため、部品点数を低減して製造コストを極力抑えることができる。
【０００８】
本発明の請求項３に記載の椅子は、請求項１または２に記載の椅子であって、前記補助脚における前記上端部に、前記収納位置において該補助脚の下端部を前記背凭れの背面側に向けて付勢するためのウエイト部材が設けられていることを特徴としている。
この特徴によれば、使用位置において補助脚の下端部を背凭れの背面に沿ってコンパクトに収納することができる。
【０００９】
本発明の請求項４に記載の椅子は、請求項１〜３のいずれかに記載の椅子であって、前記補助脚の上部には、前記使用位置において前記背凭れの上部に形成された前側に向けて湾曲する湾曲状部の背面に当接する当接面が設けられていることを特徴としている。
この特徴によれば、使用位置において補助脚はその下端部が若干外方に向けて傾斜した状態で保持され、補助脚の下端部の内側への折れ曲がりが防止されるため、背凭れが安定的に支持される。
【００１０】
本発明の請求項５に記載の椅子は、請求項１〜４のいずれかに記載の椅子であって、座の前端部に、該座に対して屈曲自在なフットレストが取り付けられていることを特徴としている。
この特徴によれば、背凭れを起立状態としたときは椅子として利用でき、背凭れを倒伏状態としたときにフットレストを座の前方に引き出せばベッドとして利用することができる。
【発明を実施するための最良の形態】
【００１１】
本発明の実施例を以下に説明する。
【実施例】
【００１２】
本発明の実施例を図面に基づいて説明すると、先ず図１には、本発明の実施例としての椅子１が示されている。椅子１は、椅子１の基体を構成する互いに離間配置された左右の側脚２、２’と、該左右の側脚２、２’間に縦方向に回動自在に枢着された座３と、該座３の後方位置に縦方向に回動自在に枢着された背凭れ４と、から主に構成されており、左右の側脚２、２’の下端に取り付けられたロック機構付きキャスター６を介して床面Ｇ上を走行自在とされている。
【００１３】
座３の先端には、特に図２〜図４に示されるように、使用者の足が載置可能なフットレスト７が、座３の下方に向けて屈曲可能に取り付けられているとともに、フットレスト７の先端には、該フットレスト７に対して直交する方向に向けて屈曲する支持脚８が連設されている。
【００１４】
これら座３及びフットレスト７は、図２に示されるように、該フットレスト７が座３の前部と鋭角（本実施例では約４５度）をなして屈曲され、フットレスト７及び支持脚８が座の下方に収納されて座３のみが使用可能となる第１の使用位置と、図３及び図４に示されるように、座３が略水平をなすとともに、支持脚８の下端が床面Ｇに接地されてフットレスト７が座３と略面一をなす第２の使用位置と、の間で移動可能に設けられている。
【００１５】
背凭れ４は、略上下方向を向く起立状態（図２参照）と、略水平方向を向く倒伏状態（図４参照）と、の間で移動自在に設けられている。また、該背凭れ４の背面上部には、図４に示されるように前記倒伏状態としたときにおいて該背凭れ４を支持する脚となる補助脚９が、背凭れ４の背面と略直角をなす使用位置（図２参照）と、背凭れ４の背面に沿う収納位置（図４参照）と、の間で回動（移動）自在に設けられている。
【００１６】
この椅子１の構造の詳細を図面に基づいて説明していくと、まず、前述した左右の側脚２、２’、座３、背凭れ４、フットレスト７は、図２〜図４に示されるように、枠状に構成された枠状フレーム並びに該枠状フレームを補強するための左右方向を向く補強フレームからなるフレーム部材Ｆと、フレーム部材Ｆ内に配置される補強板Ｈと、これらフレーム部材Ｆ並びに補強板Ｈを被覆するように設けられるクッション材とから構成されており、支持脚８並びに補助脚９は、フレーム部材Ｆ及びクッション材のみで構成されている。
【００１７】
座３は、そのフレーム部材Ｆにおける後方左右端部に形成された回動軸１６が左右の側脚２、２’の内面に枢着されており、該回動軸１６を中心として縦方向に向けて回動自在に支持されているとともに、その下面を側脚２、２’間に配置された左右方向を向く前後の支持フレーム１１、１１上に載置することにより略水平方向を向く姿勢に支持されるようになっている。
【００１８】
座３とフットレスト７とは、互いに隣接する各々のフレーム部材Ｆ同士が、複数（本実施例では２つ）の関節部１２ａ、１２ａを備えるジョイント１２を介して回動自在に連結されている。これにより図２に示されるように座３に対してフットレスト７を鋭角に屈曲させるときに、座３とフットレスト７との連結部表面の曲率が緩やかになるため、座３に着座したときにおける使用者の膝裏のクッション性を損ねることなく、かつ、クッション材を押しつぶすことなく座３に対してフットレスト７を鋭角に屈曲させることができるようになっている。
【００１９】
本実施例におけるフットレスト７及び支持脚８は、側面視略Ｌ字状に形成された単一のフレーム部材Ｆにて一体的に構成されており、フットレスト７の前端に、該フットレスト７に対して直交する方向を向く支持脚８が連設されている。また、支持脚８の先端には、図４に示される第２の使用位置において床面Ｇ上に接地されるアジャスタ１３が、高さ調整自在に設けられている。
【００２０】
フットレスト７の背面には、図２に示される座３及びフットレスト７における第１の使用位置において、フットレスト７及び支持脚８を床面Ｇから上方に離間した状態で係止するための係止片１４が後向きに突設されている。該係止片１４は、座３に対してフットレスト７を鋭角に屈曲させた状態で、係止部としての前側の支持フレーム１１に対して上方から係止することができるようになっている。
【００２１】
本実施例における係止片１４は、図２及び図３に示されるように、フットレスト７の内部のフレーム部材Ｆに固着された略コ字状をなすフレーム部材からなり、その上半部は支持脚８側に向けて屈曲形成されており、座３に対してフットレスト７を鋭角に屈曲させたときにおいて前記係止片１４の上半部が座３の下面と当接することで、座３とフットレスト７との内角が所定角度（約４５度）以下とならないように保持するようになっている。
【００２２】
また、本実施例においては、座３に対してフットレスト７を鋭角に屈曲させた状態で座３の下方に収納される第１の使用位置において、係止片１４が支持フレーム１１上に係止されるとともに、該支持フレーム１１上に係止された係止片１４の上部に、座３の下面に設けられた当接部材１５が載置されるようになっている。すなわち、前記第１の使用位置において、係止片１４が座３の下面と前側の支持フレーム１１との間に挟持されるとともに、この挟持される係止片１４により座３の前端が若干浮き上がり、図２に示されるように座３が後傾するようになっているため、特に座３に荷重が加わることで係止片１４の支持フレーム１１からの脱落が防止されるばかりか、第１の使用位置における椅子１の座り心地が向上する。
【００２３】
なお、本実施例においては、係止片１４を係止する係止部として、座３を下方から支持するための支持フレーム１１を適用しているが、係止片１４を係止するための係止部を、支持フレーム１１とは別個に設けてもよい。
【００２４】
左右の側脚２、２’間における下部前方位置には、図５に示されるように、座３に対してフットレスト７を鋭角に屈曲させたまま座３の下方から前方に引き出す際または座３の下方に収納する際において、該フットレスト７の表面に当接可能な当接杆１７が設けられている。また、当接杆１７の周面には、該当接杆１７の軸心周りに回動自在なガイドローラ１８が装着されている。
【００２５】
当接杆１７は、図２に示されるように、座３及びフットレスト７が第１の使用位置となる状態においてフットレスト７の表面と離間する位置に設けられており、後述するように座３の下方からフットレスト７を前方に引き出す際や引き出したフットレスト７を座３の下方に収納する際において、該当接杆１７と座３との間をフットレスト７並びに支持脚８を挿通させるためのものである。すなわち、図２に示されるように、係止片１４の先端部が座３の下面に当接するように座３に対してフットレスト７を鋭角（約４５度）に屈曲させた状態としない限り、座３の下方からフットレスト７を前方に引き出したり、引き出したフットレスト７を座３の下方に収納することができないようになっている。
【００２６】
これにより、後述するように座３の下方からフットレスト７を前方に引き出す際や引き出したフットレスト７を座３の下方に収納する際において、座３とフットレスト７との内角が大となったとしても、フットレスト７の表面と当接杆１７との当接によりフットレスト７を座３に対して屈曲した姿勢が維持されるため、これによりフットレスト７の表面が床面Ｇに接触して表面が汚れたり破れたりするのが防止されるとともに、第１の使用位置とするときに、フットレスト７の裏面にあって椅子１の前側からは見えない係止片１４を支持フレーム１１に確実に係止させることができるようになっている。
【００２７】
また、フットレスト７を座３の下方から前方に引き出す際や座３の下方に収納する際においてフットレスト７の表面が当接杆１７に当接しても、ガイドローラ１８によりフットレスト７が移動方向に案内され、これにより座３を円滑に回動させることができるため、座３及びフットレスト７を移動させる際の操作性が向上する。
【００２８】
背凭れ４は、図２に示されるように、そのフレーム部材Ｆの下方左右端部に形成された回動軸１９が左右の側脚２、２’の内面に枢着され、該回動軸１９を中心として略上下方向を向く起立状態と、略水平方向を向く倒伏状態との間で回動（移動）自在に支持されている。また、背凭れ４の上部には、着座した使用者の頭部を背よりもやや前方に保持して首への負担を軽減させるために、前側に向けて湾曲する湾曲状部４ａが形成されている。
【００２９】
背凭れ４は、座３の左側下方に配設されたロック機構付きガススプリング２０（以下、ガススプリング２０と略称する）と、略円弧状をなす連係部材２１を介して連係されており、該ガススプリング２０により前記倒伏状態から前記起立状態への移動方向（起立させる方向）に向けて常時付勢されている。詳しくは、ガススプリング２０は、一端が左側の側脚２の内面所定箇所に縦方向に回動自在に枢着されたシリンダ２０ａと、該シリンダ２０ａ内に伸縮自在に嵌挿されたピストンロッド２０ｂとから構成されており、該ピストンロッド２０ｂの先端には取付ヒンジ２２が設けられている。
【００３０】
連係部材２１は、一端が回動軸１９の左側端部に固着されているとともに、他端が取付ヒンジ２２に対して回動自在に枢着されており、背凭れ４が後傾されることにより該連係部材２１を介してピストンロッド２０ｂがシリンダ２０ａ内に押し込まれて収縮し、背凭れ４が起立されることによりピストンロッド２０ｂがシリンダ２０ａに対して伸張するようになっている。つまり、背凭れ４とガススプリング２０とは、背凭れ４の移動に連動してガススプリング２０が伸縮させるための連係部材２１を介して連係されている。
【００３１】
取付ヒンジ２２には、特に図６中の拡大図に示されるように、シリンダ２０ａに対するピストンロッド２０ｂの伸縮をロックまたは該ロックを解除可能なロックピン２３が出没自在に設けられている。ロックピン２３は、常時突出する方向に向けて付勢されており、一端が取付ヒンジ２２に回動自在に枢着された押圧片２４により押圧されるようになっており、押圧されることによりシリンダ２０ａに対するピストンロッド２０ｂの伸縮のロックが解除されるようになっている。
【００３２】
押圧片２４は、左側の側脚２の外面所定箇所に設けられた操作部材２５（図３参照）とワイヤー２６を介して連係されており、操作部材２５の操作に連動して押圧片２４が回動してロックピン２３が押圧されてガススプリング２０が伸縮自在となることで背凭れ４が移動可能となるとともに、操作部材２５の操作がないときはガススプリング２０が伸縮不可となり背凭れ４がそのままの姿勢で保持されるようになっている。
【００３３】
補助脚９は、背凭れ４の背面上部から後方に向けて突設された左右の支持片３１に対して左右方向を向く枢軸３２を介して回動自在に枢着されているとともに、その枢着部の上方は後向きに屈曲形成され、前記使用位置において湾曲状部４ａの背面に形成される傾斜面４ｂに当接可能な屈曲部９ａが形成されている。さらに、この屈曲部９ａの上端には、図１に示されるように背凭れ４の起立状態において椅子１を移動させる際の取手となる取手部材３０が取り付けられており、椅子１の移動操作を容易に行うことができるようになっているとともに、該取手部材３０は所定重量を有する素材にて構成されており、前記収納位置において該補助脚９の下端部を背凭れ４の背面側に向けて付勢するためのウエイト部材として機能するようになっている。また、補助脚９の下端部には、前記使用位置において床面Ｇ上に接地されるアジャスタ３４が高さ調整自在に設けられている。
【００３４】
これら補助脚９と背凭れ４とは、該補助脚９を背凭れ４に連動させて前記使用位置と前記収納位置との間で移動自在とする連動手段としてのカバー付きワイヤー部材２７を介して連係されている。カバー付きワイヤー部材２７は、背凭れ４の内部に少なくとも一部を挿通させた状態で取り付けられたチューブ状のカバー２７ａと、該カバー２７ａ内に摺動自在に挿通されるとともに、補助脚９の上端部に一端が取り付けられ、連係部材２１と取付ヒンジ２２との枢着部２９（可動部）に他端が取り付けられたワイヤー２７ｂと、から構成されている。
【００３５】
カバー付きワイヤー部材２７は、図２、図３及び図６の拡大図に示されるように、背凭れ４の上部に取り付けられた補助脚９と、前記連係部材２１と取付ヒンジ２２との枢着部との間に配設され、その途中は背凭れ４の内部に上下方向に向けて挿通されている。
【００３６】
カバー２７ａは、下端が左側の側脚２の内面所定箇所に取り付けられた固定部材２８に固定され、上端が背凭れ４の内部におけるフレーム部材Ｆの所定箇所に固定されている。また、ワイヤー２７ｂは、カバー２７ａよりも長寸とされ、カバー２７ａの上端から突出した上端は補助脚９の上端部に取り付けられており、カバー２７ａの下端から突出した下端は前記枢着部２９に取り付けられている。そして、図６に示されるように、背凭れ４の傾倒により連係部材２１の先端の枢着部２９が回動軸１９を中心に回動（移動）することでワイヤー２７ｂがカバー２７ａから引き出され、補助脚９の上端部がワイヤー２７ｂにより背凭れ４の背面側に向けて引っ張られて補助脚９が前記使用位置まで回動するようになっている。
【００３７】
よって、背凭れ４を起立状態から倒伏状態まで移動することにより可動部としての枢着部２９が移動すると、補助脚９の上端部がワイヤー２７ｂにより背凭れ４の背面に向けて引っ張られて使用位置まで回動するとともに、倒伏状態から起立状態まで移動することにより枢着部２９が移動すると、該ワイヤー２７ｂによる引っ張り力が解除されて収納位置まで回動するため、背凭れ４を移動するだけで補助脚９の位置を容易に収納位置（図６（ｃ）参照）または使用位置（図６（ａ）参照）に切り換えることができる。
【００３８】
また、背凭れ４が倒伏状態にある限り補助脚９はワイヤー２７ｂの張力により前記使用位置に確実に保持されるため、不用意に内向きに折れ曲がることが防止されるばかりか、カバー付きワイヤー部材２７の一部が背凭れ４の内部に挿通して設けられることで、背凭れ４の上部に設けられた補助脚９と背凭れ４の下方の枢着部２９とを連係するための連係手段が外部に露出して外観体裁が損なわれるのを防止することができる。
【００３９】
なお、背凭れ４の背面下部には、図２に示されるように、左右の側脚２、２’間に架設された横フレーム３５ａに一端辺が取り付けられた隠蔽シート３５の他端辺が取り付けられており、背凭れ４が起立状態にあるときに張設され、支持脚８と背凭れ４との間に形成される空間を外部から視認不能に隠蔽できるようになっている。
【００４０】
次に、このように構成された椅子１における座３及びフットレスト７を第１の使用位置と第２の使用位置との間で移動させる際の作用を、図２及び図５に基づいて説明すると、まず、座３及びフットレスト７が第１の使用位置に位置している状態（図２参照）においては、フットレスト７の裏面に突設された係止片１４を支持フレーム１１に係止させることで、フットレスト７が、座３に対して鋭角に屈曲させて折り畳んだ状態で座３の下方にコンパクトに収納される。これにより椅子として使用する際においてフットレスト７や支持脚８が邪魔になることがないとともに、フットレスト７の下端が床面Ｇから離間した状態で係止されるため、フットレスト７の表面が汚れたり損傷することがない。
【００４１】
次いで、座３及びフットレスト７を第１の使用位置から第２の使用位置に切り換えるには、まず、座３の後部を中心に座３の前部を上昇させる（図５（ａ）参照）。このとき、フットレスト７の表面と当接杆１７との当接によりフットレスト７を座に対して屈曲した姿勢が維持されるため、座３に対してフットレスト７が開いてしまい、該フットレスト７が床面Ｇに接触して汚れたり損傷することが防止される。また、当接杆１７の周面にはガイドローラ１８が設けられていることで、フットレスト７並びに支持脚９の表面が当接杆１７に当接することがあっても、フットレスト７の表面がガイドローラ１８により上方に向けて案内されるため、座３を円滑に回動させることができ、操作性が向上する。
【００４２】
そして、支持脚８が当接杆１７の上方に位置するまで座３を回動させたとき（図５（ｂ）参照）、フットレスト７を前方に引き出すことが可能となり、座３とフットレスト７とを互いに略面一となる水平状態とし、支持脚８の下端のアジャスタ１３を床面Ｇに接地させることで、フットレスト７と座３とが略面一をなす第２の使用位置となる。このように座３及びフットレスト７が第２の使用位置となったとき、座３の下面が支持フレーム１１により支持されるとともに、フットレスト７の前端が、下端が床面Ｇに接地される支持脚８を介してしっかりと支持されて椅子１の前倒が防止されるため、椅子１の安定性が確保される。
【００４３】
また、座３及びフットレスト７を第２の使用位置から第１の使用位置に切り換えるには、第２の使用位置からフットレスト７を座３に対して屈曲させた状態で、フットレスト７及び支持脚８を当接杆１７の上方を通過させるように座３を下方に向けて回動させて係止片１４を支持フレーム１１に係止させることで、第１の使用位置に切り換えることができる。このときにフットレスト７の表面が当接杆１７に当接することがあっても、フットレスト７の表面がガイドローラ１８により下方に案内されるため、座３を円滑に回動させることができ、操作性が向上する。
【００４４】
このように、座３の前端に屈曲自在に取り付けられたフットレスト７は、座３に対してフットレスト７を鋭角に屈曲させた状態で座３の後部を中心として回動させることで、フットレスト７を座３の下方から引き出したり、座３の下方に収納する操作を、椅子１を持ち上げたりすること等なく容易に行うことができるとともに、第１の使用位置においてフットレスト７は座３の下方にコンパクトに収納されるため、使用時において使用者の足がはみ出すことのない十分な長さを有するフットレスト７を座３の前端に取り付けることができるばかりか、第１の使用位置において邪魔になることがない。また、第２の使用位置においてフットレスト７は支持脚８を介して床面Ｇにしっかりと支持されるので、引き出されたフットレスト７の前端に荷重が偏って加わった場合でも、椅子１が転倒することがない。
【００４５】
次に、このように構成された椅子１における背凭れ４の補助脚９を使用位置と収納位置との間で移動させる際の作用を、図６に基づいて説明すると、まず、背凭れ４が起立状態にあるときは、連係部材２１と取付ヒンジ２２との枢着部２９が固定部材２８の鉛直上方に位置し、ワイヤー２７ｂがカバー２７ａの端部から所定長さＬ１だけ引き出された状態であり、この状態において補助脚９は、ワイヤー２７ｂに張力がかかっていないことから、上端に設けられたウエイト部材３０の自重によりその下半部が背凭れ４の背面に向けて付勢され、背面に沿うように収納された収納位置に保持されている（図６（ａ）参照）。
【００４６】
この状態から操作部材２５を操作して背凭れ４を後向きに傾倒させると、連係部材２１が回動軸１９を中心に回動して枢着部２９がガススプリング２０側に向けて移動され、ピストンロッド２０ｂがシリンダ２０ａ内に押し込まれて収縮され、背凭れ４の傾倒に抵抗がかかるとともに、枢着部２９の移動（可動）によりワイヤー２７ｂの一端がカバー２７ａの下端から引き出され、これにより補助脚９の上端部がワイヤー２７ｂにより背凭れ４の背面に向けて引っ張られ、背凭れ４に連動して枢軸３２を中心として反時計回りに回動する（図６（ｂ）参照）。
【００４７】
そして、背凭れ４が略水平となる倒伏状態となるまで傾倒され、補助脚９が背凭れ４に連動して該背凭れ４に対して略直交方向を向く使用位置まで回動された時点では、カバー２７ａの下端から引き出されたワイヤー２７ｂ長さＬ２は前記所定長さＬ１よりも長寸となる（Ｌ１＜Ｌ２）。このとき、補助脚９の屈曲部９ａは前述した背凭れ４の湾曲状部４ａの背面側に形成された傾斜面４ｂに当接されてワイヤー２７ｂの引っ張り作用による回動が規制されるとともに、その下端に設けられたアジャスタ３４が床面Ｇ上に接地され、背凭れ４の上部が補助脚９によりしっかりと支持されるので、傾倒された背凭れ４の先端側に荷重が偏って加わった場合でも椅子１が転倒することがない（図６（ｃ）参照）。
【００４８】
また、この使用位置において、補助脚９は下端が上端よりも若干外向きに傾斜した姿勢となるとともに、背凭れ４が起立方向に向けて移動されない限り、ワイヤー２７ｂによる引っ張り作用により前記使用位置における姿勢が保持されるため、補助脚９の下端部が不用意に内側へ折れ曲がることが防止されるため、背凭れ４が安定的に支持される。
【００４９】
このように、背凭れ４を起立状態から倒伏状態まで傾倒（移動）させることにより枢着部２９が回動（移動）すると、補助脚９の上端部がワイヤー２７ｂにより背凭れ４の背面に向けて引っ張られて使用位置まで回動され、また、背凭れ４を倒伏状態から起立状態まで起立（移動）させることにより枢着部２９が回動（移動）すると、該ワイヤー２７ｂによる引っ張り力が解除されて収納位置まで回動するため、背凭れ４を移動するだけで補助脚９を容易に収納位置または使用位置に切り換えることができる。また、カバー付きワイヤー部材２７が背凭れ４の内部に挿通して設けられることで、背凭れ４に連動して補助脚９を移動させる連動手段が外部に露出して外観体裁が損なわれるのを防止することができる。
【００５０】
また、本実施例においては、背凭れ４が連係部材２１を介してガススプリング２０に連係されているため、ガススプリング２０の付勢力により、背凭れ４の傾倒時においては後方への急激な転倒が防止され、起立時には背凭れ４を容易に起立させることができるので、背凭れ４の移動操作性が向上するばかりか、背凭れ４とガススプリング２０とを連係する連係部材２１に、ワイヤー２７ｂの一端が取り付けられる可動部（枢着部２９）が設けられ、背凭れ４に連動してガススプリング２０が伸縮するとともに補助脚９が移動するため、部品点数を低減して製造コストを極力抑えることができる。
【００５１】
そして、本実施例における椅子１は、図２に示されるように、座３及びフットレスト７を第１の使用位置とすることで椅子として使用することができるとともに、図４及び図６（ｃ）に示されるように、座３及びフットレスト７を第２の使用位置とし、背凭れ４を倒伏状態とすることで、座３、フットレスト７、背凭れ４が略面一となるため、ベッドとして使用することもできる。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例においては、フットレスト７の先端に支持脚８が一体的に設けられていたが、本発明はこれに限定されるものではなく、例えばフットレスト７に対して折り畳み自在に取り付けられていてもよい。
【００５４】
また、前記実施例における座３は、基体としての左右の側脚２、２’に後部が枢着されていたが、座３を回動自在に枢着しうるものであれば基体は左右の側脚２、２’に限定されるものではない。
【００５５】
また、前記実施例においては、背凭れ４の傾倒（移動）に応じて可動（回動）する可動部が、ガススプリング２０と背凭れ４とを連係する連係部材２１と取付ヒンジ２２との枢着部２９と兼用されていたが、背凭れ４に連動して可動する部位であれば、ガススプリング２０と背凭れ４との連結部材２１に設けられていなくてもよい。さらには、可動部は背凭れ４に設けられた部材でなくてもよく、例えば側脚２、２’等に可動自在に設けられた可動部材に設けてもよい。
【００５６】
また、前記実施例における椅子１は、背凭れ４のみならず、フットレスト７も前記第１の使用位置と前記第２の使用位置との間で移動自在に設けられており、フットレスト７と座３と背凭れ４とを略面一としてベッドとして使用できるようになっているが、本発明においては、少なくとも背凭れ４が前記起立状態と前記倒伏状態との間で傾倒（移動）自在とされていれば、フットレスト７を備えていないものであってもよい。
【図面の簡単な説明】
【００５７】
【図１】本発明の実施例としての椅子を斜め前方から見た状態を示す斜視図であり、（ｂ）は椅子を斜め後方から見た状態を示す斜視図である。
【図２】図１の椅子を椅子として使用する状態を示す側面図である。
【図３】図１の椅子の平面図である。
【図４】図１の椅子をベッドとして使用する状態を示す側面図である。
【図５】（ａ）〜（ｃ）は座及びフットレストの移動状態を示す概略側面図である。
【図６】（ａ）〜（ｃ）は背凭れと補助脚との連動状態を示す概略側面図である。
【符号の説明】
【００５８】
１        椅子
２、２’  側脚（基体）
３        座
４        背凭れ
７        フットレスト
８        支持脚
９        補助脚
１１      支持フレーム
１４      係止片
１６      回動軸
１７      当接杆
１８      ガイドローラ
１９      回動軸
２０      ガススプリング
２１      連係部材
２２      取付ヒンジ
２７      カバー付きワイヤー部材
２７ａ    カバー
２７ｂ    ワイヤー
２９      枢着部（可動部）
３０      取手部材（ウエイト部材）
【図１】
2006042929.tif 000003
【図２】
2006042929.tif 000004
【図３】
2006042929.tif 000005
【図４】
2006042929.tif 000006
【図５】
2006042929.tif 000007
【図６】
2006042929.tif 000008